(57)【要約】【課題】店頭展示された際の異常表示状態を可能な限り短くして早期に良好な表示状態に戻す。【解決手段】映像調整項目が最適設定値から外れた設定に変更されたとき、その変更時点からの経過時間をカウントし、所定の復帰時間が経過すると、前記映像調整項目を前記最適設定値に復帰させる「展示モード」を備えた表示装置であって、前記復帰時間を前記映像調整項目の種別と最適設定値からの変更の程度に応じて設定する。【選択図】  図２
2007163607.tif 000002
【特許請求の範囲】
【請求項１】
映像調整項目が最適設定値から外れた設定に変更されたとき、その変更時点からの経過時間をカウントし、所定の復帰時間が経過すると、前記映像調整項目を前記最適設定値に復帰させる「展示モード」を備えた表示装置であって、
前記復帰時間を前記映像調整項目の種別に応じて設定することを特徴とする表示装置。
【請求項２】
請求項１に記載の表示装置において、
前記復帰時間を前記映像調整項目の前記最適設定値からの変更の程度に応じて設定することを特徴とする表示装置。
【請求項３】
請求項１に記載の表示装置において、
複数の映像調整項目が最適設定値から外れた設定に変更されたとき、各映像調整項目に応じた複数の復帰時間の内の最も短い復帰時間を設定することを特徴とする表示装置。
【請求項４】
請求項２に記載の表示装置において、
複数の映像調整項目が最適設定値から外れた設定に変更されたとき、各映像調整項目毎の変更の程度に応じた複数の復帰時間の内の最も短い復帰時間を設定することを特徴とする表示装置。
【請求項５】
請求項１，２，３又は４に記載の表示装置において、
表示すべき映像入力ソースが切り替えられたとき、所定の映像調整項目を当該映像入力ソースに応じた最適設定値に復帰させることを特徴とする表示装置。
【請求項６】
請求項１，２，３，４又は５に記載の表示装置において、
前記「展示モード」のＯＮとＯＦＦを任意のタイミングで表示できるＯＳＤメニューで切り替えられるようにしたことを特徴とする表示装置。
【請求項７】
請求項１，２，３，４又は５に記載の表示装置において、
前記「展示モード」がＯＮのとき、電源投入時にＯＳＤメニューにより当該「展示モード」ＯＮをＯＦＦに切り替え可能に表示することを特徴とする表示装置。
【発明の詳細な説明】
【技術分野】
【０００１】
本発明は、店頭展示の際に異常調整された表示内容を正常表示に復帰させる「展示モード」を備えた表示装置に関するものである。
【背景技術】
【０００２】
ＣＲＴ、ＬＣＤ、ＰＤＰ等をディスプレイとする表示装置は、これを店頭展示して購入希望者の試し操作に供する場合、正常表示から大きくずれた見苦しい異常表示がなされる場合があり、このときは、その表示状態をそのまま展示に供すると当該表示装置の品質に疑問を持たれる恐れが生じる。
【０００３】
そこで、従来では、操作を行わなくなってから所定時間が経過すると、元の正常表示に自動的に復帰する機能を設けたものがある（例えば、特許文献１参照）。これは、電源投入時に表示されるＯＳＤ（オンスクリーンディスプレイ）メニューによって、「展示モード」ＯＮを選択することにより、その機能が動作し、映像調整項目が標準設定値から外れた設定に変更された場合、その調整が外れたときからの経過時間をカウントし、あらかじめ決めた復帰時間が経過すると、当該の映像調整項目を標準設定値に復帰させるものである。
【特許文献１】特開２０００−２８４７７０号公報
【発明の開示】
【発明が解決しようとする課題】
【０００４】
ところが、上記従来例では、標準設定値に復帰するまでの時間が固定されているため、見苦しい表示設定をなされた場合であっても、ある決められた時間が経過するまでは標準設定値に戻らないという問題がある。また、標準設定値はある特定の条件下での標準の設定であり、照明の種類、照明の強さその他の表示装置を設置する条件に応じた、あるいは入力する映像ソースに応じた、最適な設定ではない。また、電源投入時に表示されるＯＳＤメニューにより「展示モード」のＯＮ／ＯＦＦを選択する手法では、その「展示モード」をユーザが購入後に使用することは殆ど考えられないにも拘わらず、電源投入時に毎回これを選択する必要があり、使い勝手が好ましくなく、誤って「展示モード」ＯＮを選択する可能性もある。
【０００５】
本発明の目的は、店頭展示された際の異常表示状態を可能な限り短くして早期に良好な表示状態に戻し、また通常使用時の煩わしさを回避できるようにし、前記した問題を解決した表示装置を提供することである。
【課題を解決するための手段】
【０００６】
上記目的を達成するために、請求項１にかかる発明は、映像調整項目が最適設定値から外れた設定に変更されたとき、その変更時点からの経過時間をカウントし、所定の復帰時間が経過すると、前記映像調整項目を前記最適設定値に復帰させる「展示モード」を備えた表示装置であって、前記復帰時間を前記映像調整項目の種別に応じて設定することを特徴とする。
請求項２にかかる発明は、請求項１に記載の表示装置において、前記復帰時間を前記映像調整項目の前記最適設定値からの変更の程度に応じて設定することを特徴とする。
請求項３にかかる発明は、請求項１に記載の表示装置において、複数の映像調整項目が最適設定値から外れた設定に変更されたとき、各映像調整項目に応じた複数の復帰時間の内の最も短い復帰時間を設定することを特徴とする。
請求項４にかかる発明は、請求項２に記載の表示装置において、複数の映像調整項目が最適設定値から外れた設定に変更されたとき、各映像調整項目毎の変更の程度に応じた複数の復帰時間の内の最も短い復帰時間を設定することを特徴とする。
請求項５にかかる発明は、請求項１，２，３又は４に記載の表示装置において、表示すべき映像入力ソースが切り替えられたとき、所定の映像調整項目を当該映像入力ソースに応じた最適設定値に復帰させることを特徴とする。
請求項６にかかる発明は、請求項１，２，３，４又は５に記載の表示装置において、前記「展示モード」のＯＮとＯＦＦを任意のタイミングで表示できるＯＳＤメニューで切り替えられるようにしたことを特徴とする。
請求項７にかかる発明は、請求項１，２，３，４又は５に記載の表示装置において、前記「展示モード」がＯＮのとき、電源投入時にＯＳＤメニューにより当該「展示モード」ＯＮをＯＦＦに切り替え可能に表示することを特徴とする
【発明の効果】
【０００７】
本発明によれば、映像調整項目の種別やその調整の程度等に応じて最適設定値に復帰するまでの復帰時間が適応的に設定され、また複数の映像調整項目が同時に調整された場合には最も短い復帰時間が設定され、また映像入力ソースが切り替えられるとそれに応じた最適設定値に直ちに復帰するので、店頭展示された表示装置の異常表示状態を可能な限り短くして早期に良好な表示状態に戻すことが可能となる。また、「展示モード」は任意のタイミングでＯＳＤメニューでＯＮ／ＯＦＦできるので、電源投入時毎に選択を迫る従来例に比べて使い勝手が良くなり、しかも「展示モード」がＯＮのときは電源投入時にＯＳＤメニューで表示されるので、店頭展示の際はそのままにし、自宅で使用するユーザはＯＦＦに切り替えればよい。
【発明を実施するための最良の形態】
【０００８】
図１は本発明の１つの実施例の表示装置の構成を示すブロック図である。１は画像データを表示するディスプレイであり、ＣＲＴ、ＬＣＤ、ＰＤＰ等が使用される。２はディジタル信号処理回路であり、入力する映像信号について各映像調整項目（コントラスト、ブライトネス、シャープネス、カラー濃度、色相、色温度、ホワイトバランス、画像サイズ、画像表示位置、歪み、ガンマ補正その他）を調整する。３は不揮発メモリであり、ディスプレイ１の設置条件や映像入力ソースに応じた「展示モード」用の前記各映像調整項目の最適設定値を記憶する。４はマイクロコンピュータであり、所定の映像調整項目が最適設定値から変更されたとき、その映像調整項目と調整量（調整の程度）に応じて、最適設定値に戻すまでの復帰時間の決定と変更後からの経過時間のカウント等を行い、経過時間を復帰時間までカウントアップすると最適設定値に復帰させる制御を行う。５は最適設定値からずれた設定開始からの経過時間をカウントするカウンタである。６はＯＳＤ部であり、「展示モード」のＯＮ／ＯＦＦを選択できるメニューを表示し、また電源投入時に「展示モード」がＯＮになっているときはその旨を表示する。７は前記各映像調整項目の操作を行うリモコン送信器、８はこのリモコン送信器７から発射したリモコン信号を受信し制御信号としてマイクロコンピュータ４に送るリモコン受信部である。なお、このリモコン送信器７と同じ操作が可能な操作ボタンを表示装置に設けて、そこで操作できるようにしてもよい。
【０００９】
図２は図１の表示装置の「展示モード」の動作の処理のフローチャートである。電源が投入される（ステップＳ１）と、現在の「展示モード」がＯＮかＯＦＦかが判定され（ステップＳ２）、ＯＮであるときはＯＳＤによって「展示モード」が現在ＯＮになっていることが表示され（ステップＳ３）る。「展示モード」が現在ＯＦＦであるときはリモコン送信器７でＯＳＤメニューを表示させＯＮにさせる（ステップＳ４）ことができる。
【００１０】
「展示モード」になってから、リモコン送信器７によって前記各映像調整項目の内の任意の映像調整項目の操作を行う（ステップＳ５）と、その映像調整項目の種別と最適設定値からの変更の程度とに応じて復帰時間が決定（ステップＳ６）されてカウンタ５にプリセットされ、その直後にダウンカウントが開始する。
【００１１】
この後、リモコン送信器７の操作が無く（ステップＳ５）、映像入力ソースが切り替えられず（ステップＳ７）、カウンタ５が完全にダウンカウントされて経過時間が復帰時間に達する（ステップＳ８）と、当該映像調整項目が不揮発メモリ３に記憶されている最適設定値に復帰する（ステップＳ９）。
【００１２】
しかし、カウンタ５に設定した復帰時間が経過する以前に再度リモコン送信器７によって再調整が行われる（ステップＳ５）と、そのとき調整した映像調整項目と最適設定値からの変更の程度とに応じて新たな復帰時間が再決定（ステップＳ６）され、カウンタ５にプリセットされる。
【００１３】
また、カウンタ５に設定した復帰時間が経過する以前に映像入力ソースが切り替えられる（ステップＳ７）と、各映像調整項目が当該映像入力ソース用として予め不揮発メモリ３に記憶された最適設定値に直ちに復帰する（ステップＳ９）。
【００１４】
このように、本実施例の表示装置によれば、店頭展示で一定時間操作が無かった場合に、ディスプレイの設置条件や映像入力ソースの違いに対応した最適設定値に復帰させることで、表示装置の性能が最も良好な状態で店頭展示することができる。また、最適設定値に戻すまでの復帰時間は、決められた一定時間ではなく、映像調整項目の種別や最適設定値からの変更の程度に応じて設定されるので、極端に見苦しい表示に設定されたような場合は、早期に最適設定値に復帰させ、表示装置の性能が最も良好な状態で店頭展示することができる。また、映像入力ソースが切り替わった場合は、設定した復帰時間の経過を待つことなく新たな映像入力ソースに応じた最適設置値に復帰するので、表示装置の性能が最も良好な状態で店頭展示することができる。
【００１５】
さらに、「展示モード」のＯＮ／ＯＦＦは任意のタイミングで選択できるので、電源投入時に毎回「展示モード」の選択のためのＯＳＤメニューを表示させる必要がなくなり、通常使用時の煩わしさを回避できる。従来のように、電源投入時に自動的に表示されて「展示モード」のＯＮ／ＯＦＦを迫るメニューは誤って自分の望まない設定をしてしまうことが考えられ、仮にそうなった場合には設定を変更するために電源を再投入する必要があるが、本実施例の「展示モード」のＯＮ／ＯＦＦを任意のタイミングで選択できるメニューではこのような事態は発生しない。また、「展示モード」がＯＮになっているときは、電源投入時にそれがＯＳＤメニューにより表示されるので、店頭展示の際はそのままにし、自宅で使用するユーザはＯＦＦに切り替えればよい。
【００１６】
なお、映像調整項目はその複数種類を同時に調整することもあり得るが、この場合は変更調整された映像調整項目およびその調整の程度によって決定される複数の復帰時間の内から最も短い復帰時間を選択し、カウンタ５に設定されるようにする。
【００１７】
また、以上の実施例では、復帰時間を変更調整された映像調整項目およびその調整の程度によって決定していたが、変更調整された映像調整項目のみによって決定してもよい。
【図面の簡単な説明】
【００１８】
【図１】本発明の１つの実施例の表示装置の構成を示すブロック図である。
【図２】図１の表示装置の「展示モード」の動作のフローチャートである。
【符号の説明】
【００１９】
１：ディスプレイ、２：ディジタル信号処理回路、３：不揮発メモリ、４：マイクロコンピュータ、５：カウンタ、６：ＯＳＤ部、７：リモコン送信器、８：リモコン受信部。
【図１】
2007163607.tif 000003
【図２】
2007163607.tif 000004